(57)【要約】【課題】上部のボリュームが減少したバストに対してもカップ部のフィット感が保たれるカップ部付き衣類を提供する。【解決手段】カップ部付き衣類１では、カップ部１１とストラップ部１４との連結部分Ｒにおいて、ストラップ部１４の外側部１４ａがカップ部１１の脇側部１１ｂに連結され、ストラップ部１４の先端部１４ｂがカップ部１１の上縁部１１ａから所定の間隔だけ下方となる部分に連結されている。このような構成により、着用状態において、ストラップ部１４からの引き上げ力が主としてカップ部１１の脇側部１１ｂに付加され、カップ部１１の上縁部１１ａが引き上げ力によって伸び難くなる。これにより、上部のボリュームが減少したバストに対してカップ部１１の上縁部１１ａがしっかりと沿い、カップ部１１のフィット感が良好に保たれる。【選択図】図３
2015094041.tif 000002
【特許請求の範囲】
【請求項１】
カップ部と、前記カップ部に連結されるストラップ部と、を備え、
前記カップ部と前記ストラップ部との連結部分において、
前記ストラップ部の外側部は、前記カップ部の脇側部に連結され、
前記ストラップ部の先端部は、前記カップ部の上縁部から所定の間隔だけ下方となる部分に連結されているカップ部付き衣類。
【請求項２】
前記カップ部は、下側に位置する下カップ部と、上側に位置する上カップ部とを有し、
前記上カップ部の剛性は、前記下カップ部の剛性よりも小さくなっている請求項１記載のカップ部付き衣類。
【請求項３】
前記上カップ部は、伸縮性を有している請求項２記載のカップ部付き衣類。
【請求項４】
前記ストラップ部の先端部は、前記下カップ部と前記上カップ部との境界部分に連結されている請求項２又は３記載のカップ部付き衣類。
【発明の詳細な説明】
【技術分野】
【０００１】
本発明は、カップ部付き衣類に関する。
【背景技術】
【０００２】
ブラジャーに代表されるカップ部付き衣類は、例えばバストを覆うためのカップ部、カップ部の下縁部を支持する土台部、土台部から背面側に延びるバック部、及びカップ部に連結されるストラップ部などを備えて構成されている。ストラップ部は、カップ部の上縁部とバック部とを結ぶように連結されて肩紐を構成し、着用状態においてストラップ部がカップ部を引き上げることにより、バストが前中心側に引き寄せられると共にリフトアップされるようになっている。
【０００３】
カップ付き衣類のストラップ部に関する技術としては、例えば特許文献１に記載の肩紐付き衣料がある。この従来の肩紐付き衣料では、長手方向の伸長性及び伸長回復率が大きい部分を肩紐におけるカップ部側に配置し、長手方向の伸張性が小さい部分を肩紐の残余の部分に配置している。
【先行技術文献】
【特許文献】
【０００４】
【特許文献１】特開２００２−３７１４０４号公報
【発明の概要】
【発明が解決しようとする課題】
【０００５】
ところで、人体のバストの形状及びボリュームは、年齢と共に変化することがある。特に、バスト上部のボリュームは、年齢と共に減少する傾向がある。このようなボリュームの減少が見られるバストに対し、従来の一般的な構成のカップ部付き衣類では、ストラップ部によってカップ部の上縁部が全体的に引き上げられ、カップ部の上縁部がバスト上部に沿いにくいという課題があった。
【０００６】
本発明は、上記課題の解決のためになされたものであり、上部のボリュームが減少したバストに対してもカップ部のフィット感が保たれるカップ部付き衣類を提供することを目的とする。
【課題を解決するための手段】
【０００７】
上記課題の解決のため、本発明に係るカップ部付き衣類は、カップ部と、カップ部に連結されるストラップ部と、を備え、カップ部とストラップ部との連結部分において、ストラップ部の外側部は、カップ部の脇側部に連結され、ストラップ部の先端部は、カップ部の上縁部から所定の間隔だけ下方となる部分に連結されていることを特徴としている。
【０００８】
このカップ部付き衣類では、カップ部とストラップ部との連結部分において、ストラップ部の外側部がカップ部の脇側部に連結され、ストラップ部の先端部がカップ部の上縁部から所定の間隔だけ下方となる部分に連結されている。すなわち、このカップ部付き衣類では、ストラップ部の外側部及び先端部のみがカップ部に連結されており、ストラップ部の内側部は、カップ部に重なるのみでカップ部への連結はなされていない状態となっている。このような構成により、着用状態において、ストラップ部からの引き上げ力が主としてカップ部の外側部及びカップ部の上縁部より下方に付加される。カップ部の外側部及びカップ部の上縁部より下方に引き上げ力が付加されることにより、従来のようにカップ部の上縁部が全体的に引き上げられる場合に比べて、カップ部の上縁部が変形し難くなるため、上部のボリュームが減少したバストに対してカップ部の上縁部がしっかりと沿い、カップ部のフィット感が良好に保たれる。
【０００９】
また、カップ部は、下側に位置する下カップ部と、上側に位置する上カップ部とを有し、上カップ部の剛性は、下カップ部の剛性よりも小さくなっていることが好ましい。この場合、下カップ部がストラップ部からの引き上げ力の影響を大きく受けるのに対し、上カップ部はストラップ部からの引き上げ力の影響を殆ど受けないため、上カップ部がバストの上部に沿い易くなる。したがって、カップ部のフィット感を更に向上できる。
【００１０】
また、上カップ部は、伸縮性を有していることが好ましい。これにより、上カップ部がバストの上部に一層フィットし易くなる。また、上カップ部が伸び易くなることで、上カップ部がストラップ部から受ける引き上げ力の影響を小さくできる。
【００１１】
また、ストラップ部の先端部は、下カップ部と上カップ部との境界部分に連結されていることが好ましい。この場合、カップ部の脇側部に引き上げ力をより確実に局所的に付加できる。したがって、カップ部のフィット感を更に向上できる。
【発明の効果】
【００１２】
本発明に係るカップ部付き衣類によれば、上部のボリュームが減少したバストに対してもカップ部のフィット感が保たれる。
【図面の簡単な説明】
【００１３】
【図１】本発明に係るカップ部付き衣類の一実施形態を正面側から示す図である。
【図２】図１に示したカップ部付き衣類を背面側から示す図である。
【図３】カップ部とストラップ部との連結部分を正面側から示す要部拡大図である。
【図４】カップ部とストラップ部との連結部分を背面側から示す要部拡大図である。
【図５】比較例に係るカップ部付き衣類において、ストラップ部からカップ部に付加される引き上げ力を示す図である。
【図６】実施例に係るカップ部付き衣類において、ストラップ部からカップ部に付加される引き上げ力を示す図である。
【図７】本発明に係るカップ部付き衣類の変形例において、カップ部とストラップ部との連結部分を正面側から示す図である。
【発明を実施するための形態】
【００１４】
以下、図面を参照しながら、本発明に係るカップ部付き衣類の好適な実施形態について詳細に説明する。
【００１５】
図１は、本発明に係るカップ部付き衣類の一実施形態を正面側から示す図である。また、図２は、図１に示したカップ部付き衣類を背面側から示す図である。図１及び図２に示すカップ部付き衣類１は、例えばシニア向けブラジャーとして構成されている。このカップ部付き衣類１は、左右一対のカップ部１１と、カップ部１１の下縁部１１ｃ側に設けられた土台部１２と、土台部１２の両脇からそれぞれ延びて背面側に至るバック部１３と、カップ部１１とバック部１３とをつなぐストラップ部１４とによって構成されている。
【００１６】
カップ部１１は、着用者のバストの形状に対応させた椀形状となっている。左右のカップ部１１，１１は、前中心Ｃ側でそれぞれ接して互いに縫着され、左右一体となっている。カップ部１１の背面側（肌側）には、例えばコットン等の肌触りや吸湿性に優れる素材からなる肌側布が縫着等によって取り付けられていてもよい。カップ部１１の上縁部１１ａは、例えばバストの上部に沿うように略中央部分で上向きに湾曲している。また、カップ部１１の脇側部１１ｂは、腕の動きを阻害することが無いように中心側に向かって緩やかに湾曲しており、カップ部１１の下縁部１１ｃは、バストのバージスラインに合うように下向きに湾曲している。
【００１７】
カップ部１１は、下側に位置する下カップ部１５と、上側に位置する上カップ部１６とを有している。下カップ部１５は、例えば不織布や発泡ポリウレタンといった一定の保形性及び弾力性を有する素材によって形成されている。上カップ部１６は、例えばベア天竺といった伸縮性を有する素材によって形成され、下カップ部１５に比べて小さい剛性（高い柔軟性）を有している。上カップ部１６は、例えば１０ｍｍ〜３０ｍｍ程度の幅を有し、下カップ部１５の上辺に沿って縫着されている。カップ部１１の背面側において、下カップ部１５と上カップ部１６との境界部分Ｐには、例えばバイアステープからなる始末部１８が設けられている。
【００１８】
土台部１２は、例えば表布をベア天竺等の伸縮性（特に左右方向の伸縮性）を有する織布や編布等の素材で形成し、当該表布にマーキゼット等の非（難）伸縮性の素材を裏打ちすることにより、全体として非（難）伸縮性となっている。土台部１２の上縁部１２ａは、カップ部１１の下縁部１１ｃに沿う湾曲形状を有し、ワイヤを介することなくカップ部１１の下縁部１１ｃに直接縫着されている。このようなノンワイヤ型のブラジャーでは、着け心地が楽であり、自然な装着感が得られる。土台部１２の下縁部１２ｂには、例えばストレッチテープなど、長手方向に特に伸縮性の高い素材からなる始末部を設けてもよい。この場合、土台部１２の伸縮性及び復元性が高められる。
【００１９】
バック部１３は、例えばパワーネットなどの伸縮性を有する素材によって形成されている。バック部１３の基端側は、土台部１２の脇部から連続し、背面側に向かって帯状に延びている。左右のバック部１３，１３同士は、例えば後中心（不図示）側でそれぞれ接して互いに縫着され、左右一体となっている。このようなホック無しのステップイン型のブラジャーは、頭から被る、又は足から履くことによって装着することが可能であり、着脱が容易となっている。
【００２０】
ストラップ部１４は、例えば織布のような布地を紐状に成形、縫製して形成されている。ストラップ部１４に用いられる織布等の素材は、長手方向に伸縮性を有していることが好適である。ストラップ部１４は、カップ部１１とバック部１３との間に掛け渡され、いわゆる肩紐を構成している。ストラップ部１４の一端は、正面側でカップ部１１の脇側上方に連結され、ストラップ部１４の他端は、背面側でバック部１３の上縁部と一体に連続している。また、ストラップ部１４の外側部１４ａには、例えば長手方向に特に伸縮性の高い素材からなる始末部１７が設けられている。始末部１７は、ストラップ部１４の外側部１４ａからカップ部１１の脇側部１１ｂ及びバック部１３の上縁部１３ａにわたって延在している。
【００２１】
次に、上述したカップ部１１とストラップ部１４との連結部分の構成について更に詳細に説明する。図３は、カップ部とストラップ部との連結部分を正面側から示す要部拡大図である。また、図４は、カップ部とストラップ部との連結部分を背面側から示す要部拡大図である。
【００２２】
図３及び図４に示すように、カップ部１１とストラップ部１４との連結部分Ｒにおいて、ストラップ部１４は、上カップ部１６と重なるように上カップ部１６の背面側（肌側）に延びている。より具体的には、ストラップ部１４の外側部１４ａは、カップ部１１の脇側部１１ｂと略一致しており、ストラップ部１４の先端部１４ｂは、カップ部１１の上縁部１１ａから所定の間隔だけ下方となる部分に位置しており、具体的には、下カップ部１５と上カップ部１６との境界部分Ｐの近傍に延びている。
【００２３】
そして、ストラップ部１４の外側部１４ａは、始末部１７をカップ部１１、バック部１３、及びストラップ部１４に縫着する縫着ラインＬ１によってカップ部１１の脇側部１１ｂに縫着され、ストラップ部１４の先端部１４ｂは、下カップ部１５と上カップ部１６とを縫着する縫着ラインＬ２によって下カップ部１５と上カップ部１６との境界部分Ｐの近傍に縫着されている。一方、ストラップ部１４の内側部１４ｃは、上カップ部１６に重なっているものの、上カップ部１６への縫着はなされておらず、ストラップ部１４は、カップ部１１の上縁部１１ａに対してフリーな状態となっている。
【００２４】
なお、ストラップ部１４の先端部１４ｂの位置は、境界部分Ｐの近傍であればよく、境界部分Ｐと必ずしも一致している必要はない。すなわち、ストラップ部１４の先端部１４ｂの位置は、境界部分Ｐに一致していてもよく、境界部分Ｐよりも僅かに上方側或いは下方側であってもよい。本実施形態では、ストラップ部１４の先端部１４ｂの位置は、境界部分Ｐよりも僅かに下方側に位置した状態となっており、ストラップ部１４がカップ部１１の上縁部１１ａに対してフリーな状態で重なっている部分の長さが十分に確保されている。
【００２５】
続いて、上述したカップ部付き衣類１の作用効果について説明する。
【００２６】
図５は、比較例に係るカップ部付き衣類において、ストラップ部からカップ部に付加される引き上げ力を示す図である。同図に示すように、比較例に係るカップ部付き衣類１０１では、カップ部１１１とストラップ部１１４との連結部分Ｒにおいて、ストラップ部１４とカップ部１１とは実質的に重なっておらず、ストラップ部１１４の先端部１１４ｂは、カップ部１１１の上縁部１１１ａと略一致する位置まで延びている。そして、ストラップ部１１４の外側部１１４ａは、始末部１１７をカップ部１１１、バック部１１３、及びストラップ部１１４に縫着する縫着ラインＬ３によってカップ部１１１の脇側部１１１ｂに縫着され、ストラップ部１１４の先端部１１４ｂは、カップ部１１１の上縁部１１１ａに沿う縫着ラインＬ４によってカップ部１１の上縁部１１１ａに直接縫着されている。
【００２７】
このようなカップ部付き衣類１０１では、着用状態において、ストラップ部１１４からの引き上げ力がカップ部１１１に作用する際、図５に示すように、カップ部１１１の脇側部１１１ｂ及び上縁部１１１ａの全体に引き上げ力が付加される。これにより、カップ部１１１の上縁部１１１ａが変形を伴って上方に引き上げられるため、上部のボリュームが減少したバストに対してカップ部１１１の上縁部１１１ａが沿いにくいという問題が生じるおそれがある。
【００２８】
これに対し、実施例に係るカップ部付き衣類１では、上述したように、カップ部１１とストラップ部１４との連結部分Ｒにおいて、ストラップ部１４の外側部１４ａがカップ部１１の脇側部１１ｂに連結され、ストラップ部１４の先端部１４ｂがカップ部１１の上縁部１１ａから所定の間隔だけ下方となる部分に連結されている。すなわち、このカップ部付き衣類１では、ストラップ部１４の外側部１４ａ及び先端部１４ｂのみがカップ部１１に連結されており、ストラップ部１４の内側部１４ｃは、カップ部１１に重なるのみでカップ部１１への連結はなされていない状態となっている。
【００２９】
このカップ部付き衣類１では、着用状態において、ストラップ部１４からの引き上げ力がカップ部１１に作用する際、図６に示すように、ストラップ部１４からの引き上げ力が主としてカップ部１１の脇側部１１ｂと下カップ部１５の上縁部とに付加され、カップ部１１の上縁部１１ａには引き上げ力が殆ど作用しないようになっている。このように、カップ部１１の脇側部１１ｂと下カップ部１５の上縁部とに引き上げ力が付加されることにより、比較例のようにカップ部１１１の上縁部１１１ａが全体的に引き上げられる場合に比べて、カップ部１１の上縁部１１ａ及び上カップ部１６が引き上げ力によって変形し難くなる。したがって、上部のボリュームが減少したバストに対してもカップ部１１の上縁部１１ａがしっかりと沿い、カップ部１１のフィット感が良好に保たれる。
【００３０】
また、カップ部付き衣類１では、カップ部１１が下カップ部１５と上カップ部１６とによって構成され、上カップ部１６の剛性が下カップ部１５の剛性よりも小さくなっている。これにより、下カップ部１５は、ストラップ部１４からの引き上げ力を大きく受けるのに対し、上カップ部１６は、ストラップ部１４からの引き上げ力の影響を殆ど受けないため、上カップ部１６がバストの上部に沿い易く、カップ部１１のフィット感を更に向上できる。
【００３１】
また、カップ部付き衣類１では、ストラップ部１４の先端部１４ｂが下カップ部１５と上カップ部１６との境界部分Ｐの近傍に連結されている。これにより、ストラップ部１４の先端部１４ｂが上カップ部１６の幅の分だけカップ部１１の上縁部１１ａから下方に位置し、カップ部１１の脇側部１１ｂに引き上げ力をより確実に局所的に付加できる。したがって、カップ部１１の上縁部１１ａの変形が更に生じ難くなり、カップ部１１のフィット感を一層向上できる。
【００３２】
本発明は、上記実施形態に限られるものではない。図７は、本発明に係るカップ部付き衣類の変形例において、カップ部とストラップ部との連結部分を正面側から示す図である。同図に示すように、変形例に係るカップ部付き衣類２１は、一体に形成されたカップ部３１を有する点で、カップ部１１が下カップ部１５及び上カップ部１６によって構成された上記実施形態と異なっている。
【００３３】
このカップ部付き衣類２１では、カップ部３１とストラップ部１４との連結部分Ｒにおいて、ストラップ部１４の外側部１４ａは、カップ部３１の脇側部３１ｂと略一致しており、ストラップ部１４の先端部１４ｂは、カップ部３１の上縁部３１ａから所定の間隔だけ下方となる部分に位置している。
【００３４】
そして、ストラップ部１４の外側部１４ａは、始末部１７をカップ部３１、バック部１３、及びストラップ部１４に縫着する縫着ラインＬ５によってカップ部３１の脇側部３１ｂに縫着され、ストラップ部１４の先端部１４ｂは、当該先端部１４ｂに沿う縫着ラインＬ６によってカップ部３１に縫着されている。ストラップ部１４の内側部１４ｃは、カップ部３１に重なっているものの、カップ部３１への縫着はなされておらず、カップ部３１の上縁部３１ａは、ストラップ部１４に対してフリーな状態となっている。
【００３５】
このようなカップ部付き衣類２１においても、着用状態において、ストラップ部１４からの引き上げ力がカップ部３１に作用する際、ストラップ部１４からの引き上げ力が主としてカップ部３１の脇側部３１ｂに付加され、カップ部３１の上縁部３１ａには引き上げ力が殆ど作用しないようになっている。これにより、カップ部３１の上縁部３１ａが引き上げ力によって変形し難くなるので、上部のボリュームが減少したバストに対してもカップ部３１の上縁部３１ａがしっかりと沿い、カップ部３１のフィット感が良好に保たれる。
【００３６】
なお、上記の各実施形態では、ストラップ部１４の外側部１４ａがカップ部１１の脇側部１１ｂ及びカップ部３１の脇側部３１ｂと略一致するように位置しているが、ストラップ部１４の外側部１４ａは、カップ部１１の脇側部１１ｂ又はカップ部３１の脇側部３１ｂよりも僅かに内側或いは外側に位置していてもよい。
【００３７】
さらに、上記実施形態では、カップ部１１の下縁部１１ｃ及びカップ部３１の下縁部３１ｃにワイヤを設けないワイヤレス型のブラジャーを例示したが、本発明は、下縁部１１ｃ，３１ｃにワイヤを配したワイヤ型のブラジャーにも適用可能である。また、上記実施形態では、左右のバック部１３，１３同士を後中心で互いに縫着したステップイン型のブラジャーを例示したが、本発明は、左右のバック部をホックによって後中心で係合するタイプのブラジャーや、左右のカップ部をホックによって前中心側で係合するタイプのブラジャーにも適用可能である。また、本発明を適用するカップ部付き衣類としては、例示したブラジャーのほか、ブラスリップ、ブラキャミソール、ボディスーツなどのファンデーション衣類、水着、レオタードなどが挙げられる。
【符号の説明】
【００３８】
１，２１…カップ部付き衣類、１１，３１…カップ部、１１ａ，３１ａ…上縁部、１１ｂ，３１ｂ…脇側部、１４…ストラップ部、１４ａ…外側部、１４ｂ…先端部、１５…下カップ部、１６…上カップ部、Ｐ…境界部分、Ｒ…連結部分。
【図１】
2015094041.tif 000003
【図２】
2015094041.tif 000004
【図３】
2015094041.tif 000005
【図４】
2015094041.tif 000006
【図５】
2015094041.tif 000007
【図６】
2015094041.tif 000008
【図７】
2015094041.tif 000009